(57)【要約】【課題】ドット単位で正しい位置に正しい色が存在しているか、同系色に惑わされること無く正しくドットが形成されているか等の画像における色単位の検証が容易に行うことができる画像確認装置及び画像確認方法を提供すること。【解決手段】画像データを記録した記録媒体から画像データを抽出するための画像抽出部と、該画像データを各色単位の成分に分解し、色成分画像を生成するための色成分分解部と、生成された該色成分画像から検証対象となる色を選択するための色選択部と、選択された該色成分画像以外の色成分画像に対して濃度を変換し、色変換画像を生成するための色成分変換部と、該選択された色成分画像及び該色変換画像から色変換合成画像を合成するための色成分合成部とを有するように構成する。【選択図】図１
2006270884.tif 000002
【特許請求の範囲】
【請求項１】
画像データを記録した記録媒体から画像データを抽出するための画像抽出部と、
該画像データを各色単位の成分に分解し、色成分画像を生成するための色成分分解部と、
生成された該色成分画像から検証対象となる色を選択するための色選択部と、
選択された該色成分画像以外の色成分画像に対して濃度を変換し、色変換画像を生成するための色成分変換部と、
該選択された色成分画像及び該色変換画像から色変換合成画像を合成するための色成分合成部とを有することを特徴とする画像確認装置。
【請求項２】
画像データを記録した記録媒体から画像データを抽出すること、
該画像データを各色単位の成分に分解し色成分画像を生成すること、
生成された該色成分画像から検証対象となる色を選択すること、
選択された該色成分画像以外の色成分画像に対して濃度を変換し、色変換画像を生成すること、
該選択された色成分画像及び該色変換画像から色変換合成画像を合成することを有することを特徴とする画像確認方法。
【発明の詳細な説明】
【技術分野】
【０００１】
本発明は、画像確認装置及び画像確認方法に関し、更に詳しくは、色単位毎の検証を容易にすることができる画像確認装置及び画像確認方法に関する。
【背景技術】
【０００２】
従来、特許文献１にあるように、プリンタ等の出力画像を容易に検証するための技術の一例として、複数色且つ複数のドット群で構成された画像についての検討は、ＧＵＩ上で画像を構成する各色の全色表示や、色単位毎の色成分表示や、或いは所望の色単位の色成分を除いた表示を行うことで実施していた。
【０００３】
【特許文献１】特開平１０−２４７２５０号公報
【発明の開示】
【発明が解決しようとする課題】
【０００４】
しかしながら、従来技術における画像を構成する各色の全色表示では、単色を重ね合わせることで表現しているドットの色及び単色で表現されているドットの色とが同色系の場合に色の判断が困難であった。又、色単位毎の色成分表示では、色毎に切り離されて表示されているため、検証対象となる色と他色が正しい位置にドットされているか等の位置関係を判別することが困難であった。
【０００５】
本発明は、上記問題に鑑みてなされたもので、その目的とする処は、ドット単位で正しい位置に正しい色が存在しているか、同系色に惑わされること無く正しくドットが形成されているか等の画像における色単位の検証が容易に行うことができる画像確認装置及び画像確認方法を提供することである。
【課題を解決するための手段】
【０００６】
上記課題を達成するため、請求項１記載の発明は、画像データを記録した記録媒体から画像データを抽出するための画像抽出部と、該画像データを各色単位の成分に分解し、色成分画像を生成するための色成分分解部と、生成された該色成分画像から検証対象となる色を選択するための色選択部と、選択された該色成分画像以外の色成分画像に対して濃度を変換し、色変換画像を生成するための色成分変換部と、該選択された色成分画像及び該色変換画像から色変換合成画像を合成するための色成分合成部とを有するように構成する。
【０００７】
請求項２記載の発明は、画像データを記録した記録媒体から画像データを抽出すること、該画像データを各色単位の成分に分解し色成分画像を生成すること、生成された該色成分画像から検証対象となる色を選択すること、選択された該色成分画像以外の色成分画像に対して濃度を変換し、色変換画像を生成すること、該選択された色成分画像及び該色変換画像から色変換合成画像を合成することを有することを特徴とするように構成する。
【発明の効果】
【０００８】
本発明によれば、検証対象となる色以外を淡色化することで、画像としての外形を変えることなく色成分だけを変化させるため、ドット単位で正しい位置に正しい色が存在しているか、同系色に惑わされること無く正しくドットが形成されているか等の画像における色単位の検証が容易に行うことができる。
【発明を実施するための最良の形態】
【０００９】
本実施形態では、画像確認装置及び画像確認方法における画像確認装置の対象として、ブラック／シアン／マゼンダ／イエロー／ライトシアン／ライトマゼンダ（以下、それぞれ順にＫ、Ｃ、Ｍ、Ｙ、ｃ、ｍと表示する）の６色のインクを持つプリンタを想定して説明する。
【００１０】
以下、図１、図２、図３を参照して本発明の実施の形態について説明する。
【００１１】
図１は、本発明の画像確認装置の一実施形態を示す概略図であり、画像確認装置０００は、画像抽出部２００と、色成分分解部３００と、色選択部４００と、色成分変換部５００と、色成分合成部６００とを有し、画像表示部７００と接続可能になっている。又、取り扱う媒体は、メモリやファイル等の画像データを記録した記録媒体１００を、又、各部における処理後の画像として、画像データ２０１と、色成分画像３０１と、色変換画像５０１と、色変換合成画像６０１と、から構成されている。
【００１２】
画像確認装置０００は、メモリやファイル等の画像データを記録した記録媒体１００に保持している種々のデータから検証対象の画像データ２０１を画像抽出部２００にて抽出する。色成分分解部３００では、その画像データを基に、例えば、０〜２５５までの２５６階調のＫ成分画像、Ｃ成分画像、Ｍ成分画像、Ｙ成分画像、ｃ成分画像、ｍ成分画像の色成分画像３０１に分解する。色選択部４００では対象となる色を選択する。ここでは、検証の対象とする色としてＫを想定する。
【００１３】
色成分分解部で分解された全６色成分画像のうち、選択色ＫのＫ成分画像を除く、５成分画像を対象に、色成分変換部５００にて淡色化する。実際には、色成分に対して色変換比率、例えば、成分値に５０％かけることで２５６階調のうちの０〜１２７までの範囲に色変換、つまり、各色の濃度を低減させる色変換を行い、色変換画像５０１を生成する。ここでの５０％の数値は、外部ファイル等の媒体から自由な値に設定できる方式を採っても良い。色変換比率に関しては、３０％以下であると色成分が淡くなり過ぎることで、画像の一部の色が欠落しているかのような判断ミスを招く恐れがあるため、検証には適していない。又、逆に、７０％以上であると、色成分が濃いため、同色系の色と差が分からないといった状況を招くことがある。従って、効果的に検証するためには３０％〜７０％程度が適当である。
【００１４】
色成分合成部６００では、検証対象としている色Ｋの色成分画像及び検証対象としている色Ｋ以外の色変換画像から、１つの色変換合成画像６０１を合成する。
【００１５】
この時点で、画像データと色変換合成画像を比較すると、検証対象としている色以外は色成分が半減しているので、結果として検証対象としている色だけがフォーカスされているような画像となっている。又、ＣＭＹ混成による黒（プロセスブラック）は単色のＫと同系色であるが、上記の処理を施すことにより、黒（プロセスブラック）からグレーの色として変換されることにより検証が容易になっている。
【００１６】
画像確認装置と外部接続が可能となっている画像表示部７００では、合成された色変換合成画像を表示する。この画像表示部は全色表示機能、各色表示機能、グリッド表示機能、拡大縮小表示機能は勿論、正しい位置に正しい色がプリントされているかどうか等の位置関係の検証を容易にするための上下へ１ドット単位ずつの平行移動機能を併せ持つことで更に詳細な画像の検証を効率良く行うことができる。
【００１７】
本実施の形態では、検証対象としてＫを選定したが、Ｋ成分とプロセスブラック成分や、Ｃ成分とｃ成分、Ｍ成分とｍ成分のような同系色の色に対する検証や、更に発展して、各色の透過検証としても有効である。
【００１８】
図２は、本実施の形態における合成方法を表した図である。検証対象となるＫとＣＭＹ混成のプロセスブラックとの合成結果を表した図である。図中左上はＣＭＹ混成によるプロセスブラックの画像、左下はＫのみの画像である。右上は従来技術にある両画像の合成による結果を表し、右下は本発明を適用し検証対象となる色を除く色成分を変換したものとの合成による結果である。同系色の色であっても色変換を行って合成することにより、元の画像としての外形や位置関係を変えることなく、検証対象となる色が正しい色で、且つ、正しい位置にプリントされているかどうかの判別が容易にできる。
【００１９】
図３は、本実施の形態における全体の構成を表した図である。図中左列は画像確認装置への入力を表し、ファイル等や、外部装置（ＨＷ用シミュレータ等）、外部記憶装置（ＦＤ、メモリ、メディア等）を想定している。これは、図１におけるメモリやファイル等の画像データを記録した記録媒体１００に相当する。図中中央列のＰＣ／ＥＷＳは画像確認装置０００を持ち各種処理を行う。図中右列は画像確認装置からの出力を表示するための表示装置として、ＣＲＴやＴＦＴ等のディスプレイ、又、紙への出力が可能なプリンタ等を想定している。
【００２０】
以上、複数色インク等の印刷塗料を吐出する装置として、Ｋ、Ｃ、Ｍ、Ｙ、ｃ、ｍの６色のインクを持つプリンタ、更に、検証の対象とする色としてＫを選定して、実施の形態を述べてきたが、本発明は上述した具体的実施の形態に限定されるものではなく、本実施の形態における対象とするプリンタ、検証の対象とする色、画像における色成分の階調、色変換の比率、画像表示部の機能等は種々の具体例を考えることができる。
【図面の簡単な説明】
【００２１】
【図１】本発明の画像確認装置及び画像確認方法の画像確認装置の一実施形態を示す概略図である。
【図２】本発明の一実施形態の検証対象となるＫとＣＭＹ混成のプロセスブラックとの合成結果を表した図である。図中右上は従来の合成方法、右下部は本発明による合成方法である。
【図３】本発明の一実施形態の全体構成を表した図である。図中左列は画像確認装置への入力手段、図中中央列のPC／EWSで各種の処理を実施し、図中右列は画像確認装置からの出力を表示するための手段である。
【符号の説明】
【００２２】
０００    画像確認装置
１００    記録媒体
２００    画像抽出部
２０１    画像データ
３００    色成分分解部
３０１    色成分画像
４００    色選択部
５００    色成分変換部
５０１    色変換画像
６００    色成分合成部
６０１    色変換合成画像
【図１】
2006270884.tif 000003
【図２】
2006270884.tif 000004
【図３】
2006270884.tif 000005